(57)【要約】【課題】対象となる送水系統全体の動きの把握しやすくなり、システムが算出する運転スケジュールが適切なものであるかどうか判断を容易にした上水道運用支援情報表示システムを得る。【解決手段】評価値判定部１４１は、運用モデル情報Ｄ３２及び運転スケジュール情報Ｄ３１に基づき、送水系統を構成する複数の構成設備のうち、運用モデル情報Ｄ３２の指示する運用目標に与える影響が大きいと判断される構成設備であるボトルネック構成設備を指示する注目度情報Ｄ３４Ａを得ている。表示図面作成装置１７０は、注目度情報Ｄ３４Ａに基づき、上水道における送水系統内におけるボトルネック構成設備を他と異なる態様で表示装置１８０上に表示するように表示図面情報Ｄ７０を表示装置１８０に与える系統表示処理を実行する。【選択図】図１
2014142752.tif 000002
【特許請求の範囲】
【請求項１】
上水道プラントにおける対象となる送水系統の運転操作ガイダンスを行う上水道運用支援情報表示システムであって、前記送水系統は複数の配水池、複数のポンプ及び複数の管路を含む複数の構成設備を有し、前記複数の配水池間を前記ポンプを用い前記管路を介して供給する系統であり、
前記送水系統の設備能力に関する演算モデルである、設備モデル情報を登録した設備モデルデータベースと、
前記送水系統の運用目標及び運用制約条件に関する演算モデルである、運用モデル情報を登録した運用モデルデータベースと、
前記設備モデル情報及び前記運用モデル情報を入力し、前記送水系統上の流量制御に関する運転スケジューリング処理を行って運転スケジュール情報を得るスケジューリング装置と、
前記運転スケジューリング情報を登録する運転スケジュールデータベースと、
前記運用モデル情報及び前記運転スケジュール情報に基づき、前記複数の構成設備のうち、前記運用目標に与える影響が大きいと判定される構成設備である影響度大構成設備を指示する第１の注目度情報を得る構成設備影響度判定部を有する注目箇所判定装置と、
前記第１の注目度情報を登録注目度情報として登録する注目度データベースと、
前記運転スケジュール情報、前記運用モデル情報、前記設備モデル情報及び前記登録注目度情報を受け、前記登録注目度情報が前記第１の注目度情報を含んでいる場合、前記第１の注目度情報に基づき、前記送水系統における前記影響度大構成設備を他と異なる態様で表示装置上に表示する系統表示処理を実行する表示図面作成装置とを備える、
上水道運用支援情報表示システム。
【請求項２】
請求項１記載の上水道運用支援情報表示システムであって、
前記注目箇所判定装置は、
前記運転スケジューリング情報と前記設備モデル情報に基づき、前記複数の管路それぞれの経路長と流量を算出し、前記複数の管路のうち経路長に対する流量である比流量が比流量比較用の閾値より大きいと判定される比流量大管路を指示する第２の注目度情報を得る流量判定部をさらに有し、
前記注目度データベースは、前記第２の注目度情報を前記登録注目度情報としてさらに登録し、
前記系統表示処理は、前記登録注目度情報が前記第２の注目度情報を含んでいる場合、前記第２の注目度情報に基づき前記送水系統における前記比流量大管路を他の管路と異なる態様で前記表示装置上に表示する処理をさらに有する、
上水道運用支援情報表示システム。
【請求項３】
請求項１または請求項２記載の上水道運用支援情報表示システムであって、
前記注目箇所判定装置は、
前記第１の注目度情報と前記設備モデル情報とに基づき、前記影響度大構成設備の上流あるいは下流に存在し前記影響度大構成設備と異なる種別の構成設備である少なくとも一つの周辺構成設備を抽出し、前記少なくとも一つの周辺構成設備それぞれに対し、前記運用制約条件を満足しなくなる恐れのある要警戒状態か否かの判定を行い、前記少なくとも一つの周辺構成設備のうち前記要警戒状態と判定した設備である要警戒構成設備を指示する第３の注目度情報を得る要因判定部をさらに有し、
前記注目度データベースは、前記第３の注目度情報を前記登録注目度情報としてさらに登録し、
前記系統表示処理は、前記登録注目度情報が前記第３の注目度情報を含んでいる場合、前記第３の注目度情報に基づき、前記送水系統における前記要警戒構成設備を他の同種の構成設備と異なる態様で前記表示装置上に表示する処理をさらに有する、
上水道運用支援情報表示システム。
【請求項４】
請求項１〜請求項３のうち、いずれか１項に記載の上水道運用支援情報表示システムであって、
前記注目度データベースに登録された前記登録注目度情報に基づき、前記構成設備毎に非グルーピング要素を決定し、前記非グループイング要素以外の前記構成設備に対し巡回経路が生じない制約下で同一グループに設定したグルーピング情報を得るグループ化装置と、
前記グループイング情報に基づき、同一グループに属する前記構成設備における配水池が複数存在する場合に一の仮想配水池に設定し、同一グループに属する複数の排水池間の送水流量を無効化する縮約演算処理を行うことにより、前記運転スケジュール情報を縮約運転スケジュール情報に変換し、該縮約運転スケジュール情報を前記運転スケジュールデータベースに登録する縮約運転スケジュール情報生成装置とをさらに備え、
前記表示図面作成装置は、前記運転スケジュール情報に代えて前記縮約運転スケジュール情報を受け、前記系統表示処理を実行することができる、
上水道運用支援情報表示システム。
【発明の詳細な説明】
【技術分野】
【０００１】
この発明は、送水系統を有する上水道プラントの監視制御を行う監視制御システムにおいて、運転操作のガイダンスを行う上水道運用支援情報表示システムに関する。
【背景技術】
【０００２】
上水道事業体が管理する構成設備は、浄水場内の設備から、市街地の配管設備まで広域に渡る。そのため、上水道プラントの監視制御を行う場合、中央監視制御室を設けて中央監視制御盤を設置し、プラント全体を一括して、監視制御する方法が採用されている。
【０００３】
一般的に、浄水場で作られた飲料水は、配水池と呼ばれる貯水タンクに蓄えられ、そこから配水管網を通じて市街地へと供給される。遠方や高所への配水を行う際は、複数の配水池を経由しつつ送水されており、規模の大きな所では、最も遠い配水池に到達するために、１０か所以上の配水池を経由する場合も存在する。
【０００４】
上水道プラントの操作員は、各配水区の需要変動を予測しつつ、全ての配水池の貯水量が適正な範囲に保つように、送水系統内における浄水場，配水池間、配水池，配水池間の送水流量を制御することが求められている。しかし、貯水量や需要量は時々刻々と変化するため、操作員は、その時々の状況を正しく判断し、状況に応じた適切な運用手法を選択しなければならない。
【０００５】
このような、複雑な運転状況を補助するものとして、運用支援装置が導入されている。運用支援装置とは、操作の選択を求められる状況下において、操作員の判断材料となる情報を提供するものであり、各種予測機能やシミュレーション機能等から構成されるものである。
【０００６】
運用支援装置が実現する機能として、送水スケジューリング機能及び配水池水位シミュレーション機能が存在する。送水スケジューリング機能は、各配水池から需要量予測値を元に、計算機が自動で送水流量の運転スケジューリングを行うものであり、配水池水位シミュレーション機能は、送水スケジューリング機能が算出した運転スケジュール及び配水池水位の遷移を、表、トレンドグラフ、あるいは系統図面上のアニメーション表示を用いて表現するものである。
【０００７】
このような運用支援装置として、例えば、特許文献１に開示された（電力系統縮約）表示処理装置がある。
【先行技術文献】
【特許文献】
【０００８】
【特許文献１】特開２００９−２４７１３５号公報
【発明の概要】
【発明が解決しようとする課題】
【０００９】
従来の運用支援装置の送水スケジューリング機能における表示方法は、送水スケジューリング機能が出力した運転スケジュール情報を構成設備毎に、または全構成設備一覧で表示していた。そのため、ある一つの配水池や管路の流量の動きに注目して、その内容を理解することには適しているが、系統全体で見た水の動きや、ある構成設備の状況が他の構成設備に与える影響など、マクロ的な視点での把握がしにくいという問題点があった。
【００１０】
特に、送水スケジューリング及び配水池水位シミュレーションの対象となる送水系統の規模が大きく、配水池間の管路接続が複雑化する場合に、その影響は顕著となり、操作員は、運用支援装置が算出する出力結果（送水スケジューリング及び配水池水位シミュレーションによる運転状況）が適切なものであるかどうか、判断が困難になると言う問題点があった。
【００１１】
特許文献１で開示された表示処理装置は、電力系統設備全体の潮流を表示する目的で、系統全体の縮約図面を自動作成するものである。系統図上の表示要素が多い場合においても、系統図を縮約することで、表示に必要なスペースを確保でき、視認性を損なうことなく、系統全体の潮流を追うことができるという効果を奏している。
【００１２】
しかしながら、特許文献１の表示処理装置が用いた手法を送水系統における配水池の水位シミュレーション表示に適用する場合、送水系統の図面上の各構成設備について、縮約表示を行うかどうかを選択する必要がある点で、課題が残る。配水池の水位シミュレーション表示において縮約表示を行う場合、操作員は、送水系統の運転状況を示す出力結果のうち、縮約表示を行うエリアを選択する必要が生じるが、送水系統全体の水の動きを理解できていない状態では、どのエリアを縮約すれば良いかの判断はできない。適切な表示が選択できるようになるには、操作員の判断能力が向上し、送水系統全体の動きを把握するまで待たなければならず、結果として、マクロ的な視点での把握がしにくいという特許文献１の表示処理装置の課題の解決には至っていない。
【００１３】
この発明は上記問題点を解決するためになされたもので、対象となる送水系統全体の動きの把握しやすくなり、システムが算出する運転スケジュールが適切なものであるかどうか判断を容易にした上水道運用支援情報表示システムを得ることを目的とする。
【課題を解決するための手段】
【００１４】
この発明に係る請求項１記載の上水道運用支援情報表示システムは、上水道プラントにおける対象となる送水系統の運転操作ガイダンスを行う上水道運用支援情報表示システムであって、前記送水系統は複数の配水池、複数のポンプ及び複数の管路を含む複数の構成設備を有し、前記複数の配水池間を前記ポンプを用い前記管路を介して供給する系統であり、前記送水系統の設備能力に関する演算モデルである、設備モデル情報を登録した設備モデルデータベースと、前記送水系統の運用目標及び運用制約条件に関する演算モデルである、運用モデル情報を登録した運用モデルデータベースと、前記設備モデル情報及び前記運用モデル情報を入力し、前記送水系統上の流量制御に関する運転スケジューリング処理を行って運転スケジュール情報を得るスケジューリング装置と、前記運転スケジューリング情報を登録する運転スケジュールデータベースと、前記運用モデル情報及び前記運転スケジュール情報に基づき、前記複数の構成設備のうち、前記運用目標に与える影響が大きいと判定される構成設備である影響度大構成設備を指示する第１の注目度情報を得る構成設備影響度判定部を有する注目箇所判定装置と、前記第１の注目度情報を登録注目度情報として登録する注目度データベースと、前記運転スケジュール情報、前記運用モデル情報、前記設備モデル情報及び前記登録注目度情報を受け、前記登録注目度情報が前記第１の注目度情報を含んでいる場合、前記第１の注目度情報に基づき、前記送水系統における前記影響度大構成設備を他と異なる態様で表示装置上に表示する系統表示処理を実行する表示図面作成装置とを備える。
【発明の効果】
【００１５】
請求項１記載の本願発明の上水道運用支援情報表示システムにおける構成設備影響度判定部は、複数の配水池、複数のポンプ及び複数の管路を含む複数の構成設備にうち、運用モデル情報で指示される運用目標に与える影響が大きいと判定される影響度大構成設備を指示する第１の注目度情報を得ることができる。
【００１６】
その結果、表示図面作成装置にて、第１の注目度情報に基づき、上記影響度大構成設備を他と異なる態様で表示装置上に表示することにより、対象となる送水系統全体の動きの把握しやすくなり、運用支援情報表示システムが算出する運転スケジュール状況の出力結果が適切なものであるかどうかの判断を容易に行うことができる効果を奏する。
【図面の簡単な説明】
【００１７】
【図１】この発明の実施の形態１である上水道運用支援情報表示システムの構成を示すブロック図である。
【図２】運転スケジュールデータベースに登録される運転スケジュール情報の内容を模式的に示した説明図である。
【図３】この発明の実施の形態２である上水道運用支援情報表示システムの構成を示すブロック図である。
【図４】実施の形態２の表示図面作成装置の制御下で行う表示装置上での表示例を示す説明図である。
【図５】この発明の実施の形態３である上水道運用支援情報表示システムの構成を示すブロック図である。
【図６】実施の形態３の要因判定部の処理内容の具体例を示すグラフである。
【図７】この発明の実施の形態４である上水道運用支援情報表示システムの構成を示すブロック図である。
【図８】実施の形態４における上水道運用支援情報表示システムによる表示結果例を示す説明図である。
【発明を実施するための形態】
【００１８】
＜実施の形態１＞
実施の形態１の上水道運用支援情報表示システムは、対象となる送水系統を有する上水道向け運用支援装置の一機能（運転操作ガイダンス）を実現すべく、運転スケジューリングの出力結果を、ユーザに解りやすい表示方法を用いて表示するためのものである。特に配水池（貯水タンク）や送水ポンプが複数箇所あるような、大規模送水系統向けのスケジューリングを行うことを想定している。なお、対象となる送水系統は、構成設備として複数の配水池、複数のポンプ及び複数の管路を有し、複数の配水池間を上記複数のポンプにおけるいずれかポンプを用い上記複数の管路のうちいずれかの管路を介して供給している。
【００１９】
図１はこの発明の実施の形態１である上水道運用支援情報表示システムの構成を示すブロック図である。
【００２０】
図１に示すように、実施の形態１のシステムは、入出力装置１１０、スケジューリング装置１２０、運転（操作）スケジュールデータベース１３１、運用モデルデータベース１３２、設備モデルデータベース１３３、注目度データベース１３４Ａ、注目箇所判定装置１４０Ａ、評価値判定部１４１、表示図面作成装置１７０、及び表示装置１８０から構成されている。
【００２１】
スケジューリング装置１２０は、運転スケジュール情報を得るための送水スケジュール機能における内部演算を行う装置である。スケジューリング装置１２０は運用モデル情報Ｄ３２及び設備モデル情報Ｄ３３を受ける。設備モデル情報Ｄ３３は、設備モデルデータベース１３３内に予め登録された、複数の管路間の接続内容を示す管路接続情報や設備スペックなど、設備モデルに関する情報である。運用モデル情報Ｄ３２は、運用モデルデータベース１３２内に予め登録された、運用制約条件や運用目標など、運用上の設定に関する情報である。なお、運用目標には、消費電力量の最小化や、送水流量の変動最小化など、複数の基準（指標）が用意される。
【００２２】
スケジューリング装置１２０は、運用モデル情報Ｄ３２及び設備モデル情報Ｄ３３に基づき、数理計画手法等を用いて、送水ポンプや流量調整バルブなど、管路の流量制御を行う機器の流量設定値等を算出し、送水系統の運転スケジュールに関する情報を指示する運転（操作）スケジュール情報Ｄ３１を得て運転スケジュールデータベース１３１に出力する運転スケジュール処理を実行する。この際、流量設定値の算出にあたっては、操作全体を通じて、運用目標の評価値が最適な値となるようなものを選択する。
【００２３】
一般的に、運転スケジューリング処理の実行時に、運用モデル情報Ｄ３２によって指示される上述した運用目標や運用制約条件内に含まれる様々なパラメータ設定が可能であり、それらのパラメータ値を変更することで、出力される運転スケジュール情報Ｄ３１の内容を変更することができる。入力装置１１０は、運転スケジューリング処理を行う上で必要となるパラメータ設定を行うものであり、ユーザの操作によりパラメータ情報Ｄ１０をスケジューリング装置１２０に付与することによりパラメータ設定が行える。
【００２４】
以下、パラメータ情報Ｄ１０を例を挙げて説明する。例えば、運用モデル情報Ｄ３２が指示する運用制約条件として以下の式(1)に示す条件が与えられている場合を想定する。
【００２５】
【数１】
2014142752.tif 000003
【００２６】
上記式(1)において、下限水位Ｐmin及び上限水位Ｐmaxを指示するパラメータ情報Ｄ１０をスケジューリング装置１２０に与えることができる。したがって、運用制約条件である式(1)の下限水位Ｐmin及び上限水位Ｐmaxをパラメータ情報Ｄ１０により適宜変更することができる。
【００２７】
運転スケジュールデータベース１３１は、スケジューリング装置１２０から出力される運転スケジュール情報Ｄ３１を登録する。運転スケジュール情報Ｄ３１は、後に詳述するように、算出する単位時間毎の送水流量設定値、配水池貯水量と、運用目標評価値を組合せた情報が含まれる。
【００２８】
図２は、上水道運用支援装置の運転スケジュールデータベースに登録される、運転スケジュール情報Ｄ３１の内容を模式的に示した説明図である。運転スケジュール情報Ｄ３１は、スケジューリング演算の識別子である、シミュレーションＩＤ情報Ｄ２１単位で管理され、シミュレーション時刻情報Ｄ２２と、送水系統モデル上の構成設備の種別を識別するための情報である設備タイプ情報Ｄ２３、同一種の構成設備間で識別する情報である設備タイプＩＤ情報Ｄ２４毎を有している。そして、設備タイプＩＤ情報Ｄ２４毎に、計画値情報Ｄ２５、評価値情報Ｄ２６（Ｄ２６ａ〜Ｄ２６ｃ）を有するものである。
【００２９】
計画値情報Ｄ２５、評価値情報Ｄ２６共に、スケジューリング装置１２０が算出する値であり、計画値情報Ｄ２５は、単位時間毎の送水流量設定値や配水池貯水量など、構成設備の動作に関する情報が登録される。評価値情報Ｄ２６（Ｄ２６ａ〜Ｄ２６ｃ）には、運用目標の評価指標毎に、評価値が登録される。
【００３０】
図２で示す例では、 配水池（ＩＤ：１）の水位が２．５ｍ、 配水池（ＩＤ：２）の水位が２．０ｍ、配水池（ＩＤ：３）の水位が２．３ｍを指示し、 ポンプ（ＩＤ：１）の送水量が１００ｍ３／ｈ、 ポンプ（ＩＤ：２）の送水量が１２０ｍ３／ｈ、ポンプ（ＩＤ：３）の送水量が１５０ｍ３／ｈを指示する計画値情報Ｄ２５を示している。
【００３１】
また、評価値情報Ｄ２６ａで示す評価Ａは、ポンプ送水量平滑化指標値であり、０（最良），１，…の順で良否を示している。評価値情報Ｄ２６ｂで示す評価Ｂは、ポンプ消費電力量指標値であり、０（最良），１，２，…の順で良否を示している。評価値情報Ｄ２６ｃで示す評価Ｃは配水池水位指標値であり、０（最良），１，２，３…の順で良否を示している。
【００３２】
したがって、評価Ｃから、ID：3の配水池は水位が高く（悪い“３”）、ID：2の配水池は水位評価値が小さい（少し良い“１”）と評価され、評価Ａ及び評価ＢからID：1とID：2のポンプは平滑化評価値及び消費電力量ともに同じ指標値（“１”，“２”）であることが認識され、ID：1とID：2のポンプは平滑化評価値（“１”）より、消費電力量（“２”）の方が悪いことが認識され、平滑化評価値、消費電力量に関し、ID：3のポンプは、ID：1とID：2のポンプに比べて評価値が小さい（良い“０”）ことが認識される。
【００３３】
注目箇所判定装置１４０Ａは内部に評価値判定部１４１を有している。評価値判定部１４１は、運転スケジュールデータベース１３１に登録された運転スケジュール情報Ｄ３１と、運用モデルデータベース１３２に登録された運用モデル情報Ｄ３２とを入力し、送水系統を構成する各構成設備（配水池，送水ポンプ，管路等）に対し、上述した運用目標に与える影響が第１の基準に沿って大きくボトルネックとなると判定される構成設備であるボトルネック構成設備（影響度大構成設備）を指示する注目度情報Ｄ３４Ａ（第１の注目度情報）を得るボトルネック判定処理を実行する。
【００３４】
具体的には、評価値判定部１４１は、運転スケジュールデータベース１３１に登録されている運転スケジュール情報Ｄ３１で規定される計画値情報Ｄ２５や評価値情報Ｄ２６等や、運用モデルデータベース１３２に登録されている運用モデル情報Ｄ３２を取得する。そして、評価値判定部１４１は、運用目標を実現するための様々な要因のうち、運転スケジューリング処理の実行に際して重要視している評価指標に関し、他の構成設備に比べて影響度合が大きく、演算上のボトルネックとなっている構成設備を影響度大構成設備として抽出し、当該影響度大構成設備の注目度の値を最も高く設定した注目度情報Ｄ３４Ａを得ることにより、上記ボトルネック判定処理を実行する。
【００３５】
以下の評価値判定部１４１によるボトルネック判定処理の処理内容を詳述する。運転スケジューリング処理における運用目標例としては、条件(1)「ポンプ送水量をなるべく平滑化する」、条件(2)「ポンプ消費電力量を最小化する」、条件(3)「配水池水位を高めに設定する」等が挙げられる。これら条件(1)〜(3)等に基づく運用目標値として例えば、以下の式(2)に示すように運用目標値ｆを最小化する算出式が考えられる。
【００３６】
【数２】
2014142752.tif 000004
【００３７】
式(2)において、Ｇ1,i(x)、Ｇ2,i(x)及びＧ3,j(x)はＣ1〜Ｃ3を含む運用目標値ｆは運用モデル情報Ｄ３２で指示される運用目標であり、Ｇ1,i(x)は単位時間ｘにおける各ポンプの送水量に基づく平滑化課評価値の算出式であり、Ｇ2,i(x)は単位時間ｘにおける各ポンプの送水量に基づく消費電力量の算出式であり、Ｇ3,j(x)は単位時間ｘにおける各排水池の水位に基づく評価値の算出式である。
【００３８】
したがって、式(2)によって、平滑化評価値算出式Ｇ1,ｉ（ｘ）、消費電力算出式Ｇ2，i（ｘ）いよってポンプｉ毎に平滑化評価値及び消費電力が求められ後、平滑化係数Ｃ1及び消費電力係数Ｃ2 倍される。また、式(2)における水位評価算出式Ｇ3，j（ｘ）により配水池ｊ毎に水位評価値が求められた後、排水池水位係数Ｃ3 倍される。
【００３９】
そして、評価値判定部１４１は、運用目標値ｆを最小化するに際し、送水系統を構成する、各ポンプｉ、各配水池ｊについて、｛Ｃ1・Ｇ1,ｉ（ｘ）／ｆ｝、｛Ｃ2・Ｇ2,ｉ（ｘ）／ｆ｝及び｛Ｃ3・Ｇ3,j（ｘ）／ｆ｝である注目度比較指標を重視する評価指標として求め、注目度比較指標が最大値となるポンプｘまたは配水池ｙをボトルネック構成設備（影響度大構成設備）と判定することができる。すなわち、運用モデル情報Ｄ３２によって指示される運用目標値ｆに影響を与える度合が最も大きい注目度比較指標をとる構成設備をボトルネック構成設備として判定している。
【００４０】
このように、式(2)を用いた例では、評価値判定部１４１は、送水系統を構成する、全てのポンプ、全ての配水池のうち、｛Ｃ1・Ｇ1,ｉ（ｘ）／ｆ｝、｛Ｃ2・Ｇ2,ｉ（ｘ）／ｆ｝及び｛Ｃ3・Ｇ3,j（ｘ）／ｆ｝である注目度比較指標が最大値となるポンプまたは配水池をボトルネック構成設備（影響度大構成設備）と判定し、ボトルネック構成設備を指示する注目度情報Ｄ３４Ａを得るボトルネック判定処理を実行する。すなわち、式(2)を用いた例の場合の、ボトルネック判定処理におけるボトルネック構成設備と判定する第１の基準は、上記注目度比較指標が最大値となる構成設備と判定する基準となる。
【００４１】
注目箇所判定装置１４０Ａがボトルネック判定処理を実行して得た注目度情報Ｄ３４Ａは登録注目度情報Ｒ３４として注目度データベース１３４Ａに登録される。
【００４２】
このように、構成設備影響度判定部である評価値判定部１４１は、運用モデル情報Ｄ３２及び運転スケジュール情報Ｄ３１に基づき、送水系統を構成する複数の構成設備のうち、運用モデル情報Ｄ３２の指示する運用目標に与える影響が第１の基準に沿って大きいと判断される構成設備であるボトルネック構成設備（影響度大構成設備）を指示する注目度情報Ｄ３４Ａ（第１の注目度情報）を得ている。
【００４３】
表示図面作成装置１７０は、配水池水位シミュレーション機能における内部処理である系統表示処理を行う装置である。表示図面作成装置１７０は、運転スケジュールデータベース１３１、運用モデルデータベース１３２、設備モデルデータベース１３３に登録された情報Ｄ３１，Ｄ３２及びＤ３３用い、表示図面情報Ｄ７０を作成する。表示図面情報Ｄ７０に基づく表示装置１８０上の表示画面例としては、運転スケジュール情報Ｄ３１により規定される運転スケジュール及び配水池水位の遷移を、表、トレンドグラフ、あるいは系統図面上のアニメーション表示を用いて表現する方法が挙げられる。
【００４４】
そして、表示図面作成装置１７０は、注目度データベース１３４Ａ内に登録される登録注目度情報Ｒ３４が注目度情報Ｄ３４Ａを含んでいる際、注目度情報Ｄ３４Ａに基づき、上水道における送水系統内におけるボトルネック構成設備を他と異なる態様で表示装置１８０上に表示するように表示図面情報Ｄ７０を表示装置１８０に与える上記系統表示処理を実行する。
【００４５】
表示図面作成装置１７０が作成した表示図面情報Ｄ７０に基づき、表示装置１８０はユーザに視覚認識可能に図面表示する。例えば、ボトルネック構成設備に該当する送水ポンプ、配水池や管路について、拡大表示や色変更等の強調表示を行う。
【００４６】
なお、評価値判定部１４１が実行するボトルネック判定処理においてボトルネック構成設備と判定する上記第１の基準は上述した例に限定されない。例えば、比較用の第１の閾値を予め設けておいて、第１の閾値と対比すべき運用目標における重視する評価指標（式(2)を用いた上記注目度比較指標等）が第１の閾値を超えた構成設備を全てボトルネック構成設備と判定する閾値比較判定方法を用いても良い。閾値比較判定方法では第１の基準は重視する評価指標が第１の閾値より大きいことである。なお、第１の閾値は評価値判定部１４１に対し外部からユーザにより設定可能である。
【００４７】
また、上記注目度比較指標等の重視する評価指標に関し、最大値から高い順に１以上のボトルネック選択数分内の値を有する構成設備をボトルネック構成設備とし、上記ボトルネック選択数を変化させることにより、表示図面作成装置１７０の制御下で表示装置１８０上で連続的（段階的）に強調表示を構成設備を変更する段階判定方法を用いても良い。段階判定方法では、第１の基準は重視する評価指標が最大値から高い順にボトルネック選択数分内の値を有することとなる。なお、ボトルネック選択数は評価値判定部１４１に対し外部からユーザにより設定可能である。
【００４８】
実施の形態１の上水道運用支援情報表示システムによれば、評価値判定部１４１が上記閾値比較判定方法を採用している場合、ユーザは評価値判定部１４１に対し例えば外部から上記第１の閾値の値を変更することにより、強調表示（影響度大構成設備）の範囲を任意に変更できる。したがって、ユーザが、表示装置１８０上で表示される運転スケジューリング状況を理解できていない状態では、上記第１の閾値を高く設定し、強調表示される範囲を限定することで、評価指標がボトルネックとなる構成設備を容易に特定することができる。その後、上記第１の閾値を徐々に低く設定することで、注目すべき順位に従って、強調表示箇所が系統全体に広がっていく。
【００４９】
また、配水池や送水ポンプが複数存在しているような、大規模送水系統においても、上記段階判定方法を用いて、上記注目度比較指標等の重視する評価指標の値の順位に従って流れを確認することで、大送水系統全体の動きの把握しやすくなり、本システムが算出する出力結果が適切なものであるかどうかの判断を容易に行うことができる。
【００５０】
このように、影響度大判定部である評価値判定部１４１は、複数の配水池、複数のポンプ及び複数の管路を含む、対象となる送水系統における複数の構成設備のうち、運用モデル情報Ｄ３２で指示される運用目標値ｆに与える影響が上記第１の基準に沿って大きいと判定されたボトルネック構成設備（影響度大構成設備）を指示する第１の注目度情報である注目度情報Ｄ３４Ａを得ることができる。
【００５１】
その結果、表示図面作成装置１７０にて、注目度情報Ｄ３４Ａに基づき、上記ボトルネック構成設備を他と異なる態様（強調表示等）で表示装置１８０上に表示させることにより、対象となる送水系統全体の動きの把握しやすくなり、運用支援情報表示システムが算出する運転スケジュール状況の出力結果が適切なものであるかどうかの判断を容易に行うことができ、最終的に対象となる送水系統を有する上水道プラントの安全性を高めることができる。
【００５２】
また、式(2)で示す運用目標値ｆを用いた場合、「消費電力量の最小化」の指示指標であるＧ2,i(x)が含まれているため、低消費電力化を図った上水道運用が行える。
【００５３】
＜実施の形態２＞
図３はこの発明の実施の形態２である上水道運用支援情報表示システムの構成を示すブロック図である。
【００５４】
スケジューリング装置１２０が算出して得る運転スケジュール情報Ｄ３１が指示するスケジュール状況を理解するためには、上記注目度比較指標等の重視する評価指標の値が高いボトルネック構成設備に加え、管路系統全体の主要な水の流れを把握することが重要となる。
【００５５】
一般に、送水系統の構成設備である複数の管路は、浄水場から離れるとともに分岐していき、管路流量も小さくなる傾向にある。このため、単純に流量の値のみに注目した場合、主として浄水場に近い管路が選択される傾向にあり、送水系統全体でみた水の流れの把握は困難となる。複数の管路からなる管路系統全体の主要な水の流れを把握するためには、浄水場から末端の配水池までの経路情報を参照しつつ、流量を確認することが必要となる。
【００５６】
そこで、実施の形態２の注目箇所判定装置１４０Ｂは評価値判定部１４１に加えて、流量判定部１４２をさらに有することを特徴とする。
【００５７】
流量判定部１４２は、運転スケジュールデータベース１３１に登録されている運転スケジュール情報Ｄ３１における計画値情報Ｄ２５（図２参照）と、設備モデルデータベース１３３に登録されている設備モデル情報Ｄ３３における管路接続情報を取得する。次に、上記管路接続情報に基づき、最上流である浄水場から末端に位置する配水池までの管路の経路毎に、各管路の経路長と流量を取得し、経路長に対して流量が比較的大きい管路について、注目度が高くなるように設定した注目度情報Ｄ３４Ｂを得る。
【００５８】
すなわち、流量判定部１４２は、計画値情報Ｄ２５（運転スケジュール情報Ｄ３１）と上記管路接続情報（設備モデル情報Ｄ３３）に基づき、送水系統を構成する複数の管路それぞれの経路長と流量を算出し、複数の管路のうち経路長に対する流量である比流量が比流量比較用の第２の閾値より大きい比流量大管路を指示する注目度情報Ｄ３４Ｂ（第２の注目度情報）を得る。なお、第２の閾値は流量判定部１４２に対しユーザ等により設定可能にしている。
【００５９】
注目度情報Ｄ３４Ｂは登録注目度情報Ｒ３４の少なくとも一部として注目度データベース１３４Ｂに登録される。したがって、実施の形態２において、登録注目度情報Ｒ３４は注目度情報Ｄ３４Ａ及びＤ３４Ｂを含む得る。
【００６０】
そして、表示図面作成装置１７０は、登録注目度情報Ｒ３４が注目度情報Ｄ３４Ｂを含んでいる場合、注目度情報Ｄ３４Ｂに基づき送水系統における比流量大管路を他の管路と異なる態様で表示装置１８０上に表示する処理を系統表示処理として実行する。
【００６１】
ユーザは、流量判定部１４２が注目度情報Ｄ３４Ｂを算出する際、比流量比較用の第２の閾値の値を変更することにより、比流量大管路の判断基準を任意に変更できる。例えば、第２の閾値を高く設定すると、比流量が大きい、主要な管路のみを比流量大管路として表示図面作成装置１７０の制御下で表示装置１８０上で強調表示することができ、第２の閾値を徐々に低くすることで、表示装置１８０上で強調表示される管路が送水系統全体に広がっていく。主となる水の流れを確認することで、大規模送水系統全体の動きの把握しやすくなると言う効果がある。
【００６２】
図４は、表示図面作成装置１７０によって表示装置１８０上で表示する運転スケジュール状況の表示例を示す説明図である。なお、図４で表示例と同様の表示は、他の実施の形態（実施の形態１並びに後述する実施の形態３及び実施の形態３）においても可能である。
【００６３】
図４で示す送水系統の表示例は、管路を指示する管路アイコン２１〜２８、送水ポンプを指示するポンプアイコン３１〜３８、配水池を指示する配水池アイコン１１〜１７から構成されている。
【００６４】
管路アイコン２１〜２８の矢印は流向を意味しており、太さは流量の大きさを表現している。なお、図４において、管路アイコン２１〜２８の太さは絶対値であり、比流量ではない。
【００６５】
配水池アイコン１１〜１７それぞれの斜めハッチング領域は貯水量アイコンＶ１１〜Ｖ１７であり、貯水量アイコンＶ１１〜Ｖ１７は配水池アイコン１１〜１７の貯水量を意味している。
【００６６】
管路アイコン２１〜２８の太さや、貯水量アイコンＶ１１〜Ｖ１７の表示領域の大きさは、運転スケジュール情報Ｄ３１が指示する流量変化、貯水量変化とともに変化する。
【００６７】
管路アイコン２１，２３及び２７並びに管路アイコン２４は、アイコンの色を変更すること（図面上は濃いハッチングで示している）で強調表示を行う例を示したものである。
【００６８】
この際、注目箇所判定装置１４０は、評価値判定部１４１による注目度情報Ｄ３４Ａと、流量判定部１４２による注目度情報Ｄ３４Ｂとは、注目度情報Ｄ３４Ａ及び注目度情報Ｄ３４Ｂに対する重み付けを示す係数値を外部からユーザにより設定可能である。
【００６９】
これにより、ユーザはニーズに応じて、注目度情報Ｄ３４Ａを重視して注目度比較指標が第１の基準に沿ってボトルネックとなると判定された構成設備のみを強調表示したり、注目度情報Ｄ３４Ｂを重視して管路系統全体の主要な水の流れのみを強調表示したり、注目度情報Ｄ３４Ａ，Ｄ３４を共に重視して双方の場合に強調表示したりして、強調対象を任意に変更できる。
【００７０】
このように、流量判定部１４２は、複数の管路のうちが経路長に対する流量である比流量が比流量比較用の第２の閾値より大きいと判定された比流量大管路を指示する第２の注目度情報である注目度情報Ｄ３４Ｂを得ることができる。
【００７１】
その結果、表示図面作成装置１７０にて、実施の形態１のボトルネック構成設備に加え、注目度情報Ｄ３４Ｂに基づき比流量大管路を他と異なる態様で表示装置１８０上に表示させることができるため、送水系統全体の動きの把握しやすくなり、運用支援表示システムが算出する運転スケジュール状況の出力結果が適切なものであるかどうかの判断をより容易に行うことができる。
【００７２】
＜実施の形態３＞
図５はこの発明の実施の形態３である上水道運用支援情報表示システムの構成を示すブロック図である。
【００７３】
評価値判定部１４１によって、ある構成設備が上記第１の基準に沿ってボトルネック構成設備と判定されている場合、その理由としては、ボトルネック構成設備の機器スペックに起因するケースと、ボトルネック構成設備の周囲の状況に起因するケースとが考えられる。例えば、ポンプの起動／停止の切換え回数が多い機器がある時、ポンプ出力設定値が要因となっている場合と、ポンプの送り先／送り元の配水池の貯水量が要因となっている場合が存在する。
【００７４】
実施の形態３の注目箇所判定装置１４０Ｃは実施の形態２の注目箇所判定装置１４０Ｂの構成に加え、さらに、要因判定部１４３を有していることを特徴とする。
【００７５】
要因判定部１４３は、注目度データベース１３４より、評価値判定部１４１が算出した注目度情報Ｄ３４Ａを取得し、注目度比較指標がボトルネックとなっている構成設備を特定する。次に、設備モデルデータベース１３３に登録されている設備モデル情報Ｄ３３における管路接続情報を取得し、ボトルネックとなる設備の周辺構成設備を特定する。周辺構成設備について、運転スケジュール情報Ｄ３１及び運用モデル情報Ｄ３２を用い、周辺構成設備の計画値情報Ｄ２５（運転スケジュール情報Ｄ３１）が、運用モデル情報Ｄ３２によって指示される運用制約条件（判定式）における境界値付近に分布しているかどうかの判定を行う。周辺構成設備の計画値情報Ｄ２５が、運用制約条件の境界値付近に分布している場合、ボトルネック構成設備に影響を与えた可能性があるとして、当該周辺構成設備を要警戒構成設備として注目度を高く設定して注目度情報Ｄ３４Ｃを得る。
【００７６】
図６は周辺構成設備が運用制約条件の境界値付近であるかの判定例を示すグラフである。図６では影響度大構成設備として図４で示す送水ポンプ（アイコン）３４が特定されたケースを想定している。
【００７７】
同図(a) は影響度大構成設備である送水ポンプ３４のポンプ流量Ｑ３４の変化、同図(b) は上記送水ポンプ３４の下流の配水池の排水池（アイコン）１４の排水池水位Ｐ１４の変化、同図(c) は上記送水ポンプの上流側の配水池（アイコン）１３の排水池水位Ｐ１３の変化を示している。また、運用制約条件として実施の形態１で述べた式(1)を採用している。
【００７８】
同図(a) に示すように、ポンプ３４のポンプ流量Ｑ３４が大きくなる評価値悪化時間帯ＴＢにおいて、同図(b) に示すように、排水池水位Ｐ１４が下限水位Ｐminより少し高く設定した基準下限水位ＰＬを下回ると境界値付近（下限水位Ｐmin付近）に分布していると判定する。この場合、排水池水位Ｐ１４の上流の配水池１４を要警戒構成設備と判定し注目度を高く設定する。
【００７９】
同様に、評価値悪化時間帯ＴＢにおいて、同図(c) に示すように、排水池水位Ｐ１３が上限水位Ｐmaxより少し低く設定した基準上限水位ＰＬを上回っていないため、境界値付近（上限水位Ｐmax付近）に分布していないと判定する。この場合、排水池水位Ｐ１３の下流の配水池１３を要警戒構成設備とはせず、注目度は高く設定しない。
【００８０】
このように、要因判定部１４３は、注目度情報Ｄ３４Ａと設備モデル情報Ｄ３３とに基づき、ボトルネック構成設備（例えば、送水ポンプ）の上流あるいは下流に存在しボトルネック構成設備と異なる種別の構成設備である少なくとも一つの周辺構成設備（例えば、上記送水ポンプの上流側及び下流側の配水池）を抽出する。そして、要因判定部１４３は、上記少なくとも一つの周辺構成設備それぞれに対し、運用モデル情報Ｄ３２で指示する運用制約条件を満足しなくなる恐れのある要警戒状態か否かの判定を行い、上記少なくとも一つの周辺構成設備のうち上記要警戒状態と判定した設備である要警戒構成設備を指示する注目度情報Ｄ３４Ｃを得る。
【００８１】
注目度情報Ｄ３４Ｃは登録注目度情報Ｒ３４の少なくとも一部として注目度データベース１３４Ｂに登録される。したがって、登録注目度情報Ｒ３４は注目度情報Ｄ３４Ａ〜Ｄ３４Ｃを含み得る。
【００８２】
そして、表示図面作成装置１７０は、上記系統表示処理として、注目度データベース１３４の登録注目度情報Ｒ３４内に注目度情報Ｄ３４Ｃが登録されている際、注目度情報Ｄ３４に基づき、送水系統における上記要警戒構成設備を他の同種の構成設備と異なる態様で表示装置１８０上に表示する。
【００８３】
実施の形態１では、ユーザは、評価値判定部１４１が判定したボトルネック構成設備に対し、上流側の他の種別の構成設備が影響しているのか、下流側の他の種別の構成設備が影響しているのかの判断を行わなければならない。
【００８４】
実施の形態３では、要因判定部１４３による注目度情報Ｄ３４Ｃを用いることにより、表示装置１８０上の表示内容から、要警戒構成設備に着目することにより周辺構成設備の影響度合を簡易に認識することができる。その結果、ボトルネック構成設備の周辺構成設備に関するデータを一つずつ検証する作業を簡略化でき、本システムが算出する出力結果が適切なものであるかどうか、判断が容易になる。
【００８５】
このように、実施の形態３の上水道運用支援情報表示システムにおける要因判定部１４３は、ボトルネック構成設備の上流あるいは下流に位置する少なくとも一つの周辺構成設備のうち、運用制約条件を満足しなくなる恐れのある要警戒状態であると判定した設備である要警戒構成設備を指示する第３の注目度情報となる注目度情報Ｄ３４Ｃを得ている。すなわち、要因判定部１４３によって、ボトルネック構成設備に近接する周辺構成設備の運用状況を調査して、周辺構成設備がボトルネック構成設備に影響を及ぼしているかどうかの判定を行っている。
【００８６】
その結果、表示図面作成装置１７０にて、上記ボトルネック構成設備に加え、注目度情報Ｄ３４Ｃに基づき、上記ボトルネック構成設備の上流あるいは下流に存在する上記要警戒構成設備を他と異なる態様で表示装置１８０上に表示させることができるため、ボトルネック構成設備がなぜ影響大となったのかと言う要因分析が容易になり、送水系統全体の動きの把握しやすくなる効果を奏する。
【００８７】
また、実施の形態３においても、実施の形態２の場合と同様に、ユーザは要因判定部１４３が算出した注目度情報Ｄ３４Ｃに対し、境界値付近への分布の有無を判断するための第３の閾値（図６の基準下限水位ＰＬ，基準上限水位ＰＬに相当する値）を外部よりユーザにより設定可能にすることにより、ユーザが第２の閾値を適宜変更することにより、表示装置１８０上で強調表示される要警戒構成設備の範囲を任意に変更できる。
【００８８】
また、注目箇所判定装置１４０は、注目度情報Ｄ３４Ａ〜Ｄ３４Ｃ間で重み付けを行うことにより、表示図面作成装置１７０による系統表示処理の際、評価値判定部１４１、流量判定部１４２が算出した注目度情報Ｄ３４Ａ〜Ｄ３４Ｃの総合結果で強調表示させたり、注目度情報Ｄ３４Ａ〜３４Ｃそれぞれ個別に表示させたりできる。
【００８９】
＜実施の形態４＞
図７はこの発明の実施の形態４である上水道運用支援情報表示システムの構成を示すブロック図である。
【００９０】
送水系統を構成する構成設備である配水池やポンプが１０箇所を超えるような、大規模な送水系統においては、表示装置１８０上に図４のような運転スケジュール状況を表示する際に１画面内に送水系統図全体が収まらない場合や、管路の経路が複雑な形状となる場合があり、系統全体の流れを理解する妨げとなる。
【００９１】
そこで、実施の形態４は、図面分割装置１５０及び表示データ演算装置１６０をさらに設け、表示装置１８０上で送水系統の縮約表示を可能にしたことを特徴としている。
【００９２】
図面分割装置１５０は、注目度データベース１３４に登録されている登録注目度情報Ｒ３４（注目度情報Ｄ３４Ａ〜３４Ｃの少なくとも一つ）に基づき、設備モデル情報Ｄ３３で指示される送水系統の構成設備すべてに対し、注目度の高い構成設備を基準にして、注目度の低い周囲の構成設備の一部をグループ化するグルーピング処理を行う。以下、図面分割装置１５０が実行するグルーピング処理について詳述する。
【００９３】
図面分割装置１５０は、送水系統を構成するすべての構成設備から、予めユーザが可変設定可能な判定基準（例えば、実施の形態１の評価値判定部１４１による判断基準（第１の判断基準）、実施の形態２の流量判定部１４２による第２の閾値を用いた判断基準、あるいは実施の形態３の要因判定部１４３による第３の閾値を用いた判断基準）に従い、登録注目度情報Ｒ３４に基づき注目度が高い構成設備（注目度大構成設備）を特定する。
【００９４】
そして、図面分割装置１５０は、特定した注目度大構成設備の上流または下流に位置する構成設備をさらに特定し、これらを併せて非グルーピング要素として設定する。その後、図面分割装置１５０は、非グルーピング要素以外の構成設備について、少なくとも一つのグループに分類するグループ化を行う。この際、管路経路が巡回しないように制約を設けてグループ設定を行い、上記グループ設定内容を指示するグルーピング情報Ｄ５０を得る。このグルーピング情報Ｄ５０は次段の表示データ演算装置１６０に付与されるともに、設備モデルデータベース１３３にも格納される。
【００９５】
このように、グループ化装置である図面分割装置１５０は、注目度データベース１３４に登録された登録注目度情報Ｒ３４（注目度情報Ｄ３４Ａ〜Ｄ３４Ｃの少なくとも一つの）に基づき、送水系統を構成する構成設備毎に非グルーピング要素を決定し、非グループイング要素以外の構成設備に対し巡回経路が生じない（同じ配水池に戻るルートが存在しない）制約下で同一グループに設定したグルーピング情報Ｄ５０を取得するグルーピング処理を実行する。
【００９６】
表示データ演算装置１６０は、図面分割装置１５０が算出したグルーピング情報Ｄ５０に従って、運転スケジュール情報Ｄ３１から縮約図面用の縮約運転スケジュール情報Ｄ３１ｒを作成する縮約演算処理を実行する。以下、表示データ演算装置１６０が実行する縮約演算処理について詳述する。
【００９７】
表示データ演算装置１６０は、運転スケジュール情報Ｄ３１によって指示される送水系統の運転スケジュールに対し、グルーピング情報Ｄ５０を参照して同一グループに複数の配水池が存在する場合、当該複数の配水池の総容量及び貯水量を合計し、仮想的な一つの配水池として再定義する。加えて、表示データ演算装置１６０は、同一グループに所属する上記複数の配水池間の送水流量を除外し、グループが異なる配水池への送水のみ抽出する。最後に、表示データ演算装置１６０は上記再定義及び抽出処理によって、運転スケジュール情報Ｄ３１を縮約運転スケジュール情報Ｄ３１ｒに変換し、この縮約運転スケジュール情報Ｄ３１ｒを運転スケジュールデータベース１３１に登録する。
【００９８】
このように、縮約運転スケジュール情報生成装置である表示データ演算装置１６０は、グルーピング情報Ｄ５０に基づき、同一グループに属する配水池が複数存在する場合に一の仮想配水池に設定し、同一グループに属する複数の排水池間の送水流量を無効化する縮約演算処理を実行して、運転スケジュール情報Ｄ３１を縮約運転スケジュール情報Ｄ３１ｒに変換し、縮約運転スケジュール情報Ｄ３１ｒを運転スケジュールデータベース１３１に登録する。
【００９９】
そして、表示図面作成装置１７０は、運転スケジュール情報Ｄ３１の代わりに縮約運転スケジュール情報Ｄ３１ｒに基づき上記系統表示処理を実行することにより、縮約運転スケジュール情報Ｄ３１ｒで指示される図面が縮約された内容で送水系統の運転スケジュール状況を表示装置１８０上に表示することができる。
【０１００】
なお、表示図面作成装置１７０は、縮約運転スケジュール情報Ｄ３１ｒを用いることなく、実施の形態１〜実施の形態３と同様に、運転スケジュール情報Ｄ３１に基づく系統表示処理（詳細表示）も併せて実行することができる。
【０１０１】
図８は、実施の形態４における上水道運用支援情報表示システムによる表示結果例を示す説明図である。図８は図４で示した送水系統を縮約して得られたも表示内容を示している。
【０１０２】
図面分割装置１５０は、配水池（アイコン）１６を注目度が高い注目度大構成設備として特定し、さらに、その上流側の配水池（アイコン）１４及びポンプ（アイコン）３６，３７並びにポンプ３７の下流の配水池（アイコン）１７を非グルーピング要素として特定する。
【０１０３】
そして、図面分割装置１５０は、上記非グルーピング要素以外の図４で示す配水池（アイコン）１１〜１３，１５及びポンプ（アイコン）３１〜３５，３８をすべて同一グループに設定したグルーピング要素として指示するグルーピング情報Ｄ５０を得る。
【０１０４】
次に、表示データ演算装置１６０は、グルーピング情報Ｄ５０に基づき、運転スケジュール情報Ｄ３１で指示される図４で示す送水系統の運転スケジュール状況から、図８に示すように、配水池アイコン１１〜１３，１５を一つのグルーピング配水池アイコン５１（仮想配水池）に仮想設定し、ポンプアイコン３１〜３５及び３８を２つのグルーピングポンプアイコン７１及び７２に仮想設定し、管路アイコン２１〜２５，２８を２つの管路アイコン６１，６２に仮想設定する。この際、グルーピング配水池アイコン５１は仮想設定する前段階の配水池総容量に比例して大きさを変更しており、アイコンも大きく表示されている。
【０１０５】
さらに、表示データ演算装置１６０は、グルーピング配水池アイコン５１の貯水量を求めるとともに、同一グループ内の配水池（アイコン）１１〜１３，１５間の送水流量を無効化しつつ、グルーピングポンプアイコン７１及び７２の送水量を求める縮約演算処理を行う。したがって、表示図面作成装置１７０は、縮約運転スケジュール情報Ｄ３１ｒに基づき、上記縮約演算処理内容を反映させた貯水量アイコンＶ５１の大きさ、及び管路アイコン６１及び６２の形成幅に指示する表示図面情報Ｄ７０を得ることができる。
【０１０６】
このように、表示データ演算装置１６０は、図４で示すような送水系統における運転スケジュール状況を指示する運転スケジュール情報Ｄ３１に対し、上述した縮約演算処理を施し、図８で示す様な送水系統における運転スケジュールが表示可能な縮約運転スケジュール情報Ｄ３１ｒに変換し、この縮約運転スケジュール情報Ｄ３１ｒを運転スケジュールデータベース１３１に格納している。
【０１０７】
図面分割装置１５０によるグループ化処理及び表示データ演算装置１６０による縮約演算処理を経た後、表示図面作成装置１７０は縮約運転スケジュール情報Ｄ３１ｒ、運用モデル情報Ｄ３２、設備モデル情報Ｄ３３及び注目度情報Ｄ３４に基づき、図８に示す様な図面縮約後の送水系統の運転スケジュール状況を表示装置１８０上に表示（縮約図面表示）することができる。
【０１０８】
なお、図面分割装置１５０のグループ化処理において、グループ化の判断基準となる閾値等は、例えば、ユーザによる外部入力によって変更可能にしても良い。
【０１０９】
表示図面作成装置１７０は、ユーザがグループ化の判断基準を変更した際、図面分割装置１５０及び表示データ演算装置１６０はリアルタイムで再びグループ化処理及び縮約演算処理を実行することにより、表示図面作成装置１７０の制御下で表示装置１８０上でユーザによるグループ化判定基準の変更後の画面表示内容を速やかに表示装置１８０上に表示させることができる。したがって、実施の形態４のシステムを使用するユーザは縮約表示、詳細表示を任意のタイミング、及び任意のエリアで実施することが可能となる。
【０１１０】
このように、実施の形態１の上水道運用支援情報表示システムにおける表示データ演算装置１６０は、同一グループに属する配水池が複数存在する場合に一の仮想配水池に設定し、同一グループに属する複数の排水池間の送水流量を無効化する縮約演算処理を行うことにより、縮約運転スケジュール情報Ｄ３１ｒを得ている。
【０１１１】
その結果、表示図面作成装置１７０の制御下で、運転スケジュール情報Ｄ３１に代えて縮約運転スケジュール情報Ｄ３１ｒに基づき、系統表示処理を実行することにより、高注目構成設備を確実に表示しつつ、余り重要でない情報を縮約して表示する構成設備数を減らすことで、シンプルな縮約図面表示を実現できる効果を奏する。
【０１１２】
＜その他＞
スケジューリング装置１２０、注目箇所判定装置１４０、評価値判定部１４１、流量判定部１４２、要因判定部１４３、図面分割装置１５０、表示データ演算装置１６０、及び表示図面作成装置１７０等は、例えばソフトウェアに基づくＣＰＵを用いたプログラム処理によって実行される。
【０１１３】
運転スケジュールデータベース１３１、運用モデルデータベース１３２、設備モデルデータベース１３３、注目度データベース１３４（１３４Ａ〜１３Ｃ）等は、例えばＨＤＤ、ＤＶＤ、メモリなどによって構成される。
【０１１４】
なお、本発明は、その発明の範囲内において、各実施の形態を自由に組み合わせたり、各実施の形態を適宜、変形、省略したりすることが可能である。
【０１１５】
例えば、実施の形態３あるいは実施の形態４の注目箇所判定装置１４０Ｃは評価値判定部１４１及び要因判定部１４３のみで構成しても良く、実施の形態４の注目箇所判定装置１４０Ｃに置き換えて、実施の形態１の注目箇所判定装置１４０Ａ、あるいは実施の形態２の注目箇所判定装置１４０Ｂを用いて良い。
【符号の説明】
【０１１６】
１１０  入力装置、１３１  運転スケジュールデータベース、１３２  運用モデルデータベース、１３３  設備モデルデータベース、１３４Ａ〜１３４Ｃ  注目度データベース、１４０Ａ〜１４０Ｃ、１４１  評価値判定部、１４２  流量判定部、１４３  要因判定部、注目箇所判定装置、１５０  図面分割装置、１６０  表示データ演算装置、１７０  表示図面作成装置、１８０  表示装置。
【図１】
2014142752.tif 000005
【図２】
2014142752.tif 000006
【図３】
2014142752.tif 000007
【図４】
2014142752.tif 000008
【図５】
2014142752.tif 000009
【図６】
2014142752.tif 000010
【図７】
2014142752.tif 000011
【図８】
2014142752.tif 000012